(57)【要約】  この発明に係るファンは、モータと、モータの回転を伝達する回転シャフトと、回転中心に回転シャフトが挿通されるボス部と、を有するファンである。回転シャフトは、先端部がボス部から突出し、先端部は、ワッシャの中心孔に挿通され、締結部品が螺合し、ワッシャは、締結部品とボス部の端面との間に挟まれ締結されるワッシャ座面部と、ワッシャ座面部の外周を囲むワッシャ外周部と、を備える。ワッシャ座面部とワッシャ外周部とは、一体に成形されている。
2019026097.tif 000002
【特許請求の範囲】
【請求項１】
モータと、
前記モータの回転を伝達する回転シャフトと、
回転中心に前記回転シャフトが挿通されるボス部と、を有するファンであって、
前記回転シャフトは、
先端部が前記ボス部から突出し、
前記先端部は、
ワッシャの中心孔に挿通され、締結部品が螺合し、
前記ワッシャは、
前記締結部品と前記ボス部の端面との間に挟まれ締結されるワッシャ座面部と、
前記ワッシャ座面部の外周を囲むワッシャ外周部と、を備え、
前記ワッシャ座面部と前記ワッシャ外周部とは、一体に成形されている、ファン。
【請求項２】
前記ワッシャ座面部は、
前記回転シャフトの前記先端部が挿通される前記中心孔と、
互いに対向する２つの外周端面と、を備え、
前記先端部と前記中心孔とが嵌合し、
前記ボス部は、
前記回転シャフトの前記先端部が突出する側に嵌合部が突出し、
前記嵌合部は、
前記ワッシャ座面部の外周端面と嵌合する、請求項１に記載のファン。
【請求項３】
前記ワッシャ座面部は、
前記回転シャフトの前記先端部が挿通される前記中心孔と、
互いに対向する２つの外周端面と、を備え、
前記ワッシャは、
前記中心孔について対称な位置に２つの開口部を有し、
前記開口部は、
前記ワッシャ座面部の外周端面と前記ワッシャ外周部の内周面とにより形成される、請求項１に記載のファン。
【請求項４】
前記ワッシャ外周部は、
前記外周端面を除く前記ワッシャ座面部の外周部において、前記ワッシャ座面部と接続されている、請求項２又は３に記載のファン。
【請求項５】
前記ワッシャ外周部は、
前記回転シャフトの軸方向に突出する突起部を有する、請求項１〜４の何れか１項に記載のファン。
【請求項６】
前記ボス部は、
前記回転シャフトの前記先端部が突出する側に嵌合部が突出し、
前記突起部の前記ワッシャ座面部からの高さは、
前記ボス部の端面から前記嵌合部の先端までの高さよりも高い、請求項５に記載のファン。
【請求項７】
前記締結部品は、
前記ワッシャ座面部と接触する接触面と、
締結時に把持される把持部と、を有し、
前記把持部は、
前記突起部よりも前記回転シャフトの軸方向に突出して形成されている、請求項５又は６に記載のファン。
【請求項８】
前記ワッシャ外周部は、
前記回転シャフトの軸方向に延びるリブを備え、
前記リブは、
前記ワッシャ外周部の外周に沿った全周に設けられている、請求項１〜７の何れか１項に記載のファン。
【請求項９】
前記ボス部は、
前記回転シャフトが挿通されるスリーブと、
前記スリーブの外側に位置する筒状のボスと、
前記スリーブの外周面と前記ボスの内周面との間に介在する防振ゴムと、を備え、
前記ワッシャ外周部は、
前記ボスの端面よりも外形が大きい、請求項１〜８の何れか１項に記載のファン。
【請求項１０】
前記ワッシャ座面部は、
平板状の金属により構成され、
前記ワッシャ外周部は、
絶縁材料により構成される、請求項１〜９の何れか１項に記載のファン。
【請求項１１】
請求項１〜１０の何れか１項に記載のファンを備える、空気調和装置の室内機。
【発明の詳細な説明】
【技術分野】
【０００１】
本発明は、ファン及びファンを備えた空気調和装置の室内機に関し、特にファンをモータに取り付ける部分の構造に関する。
【背景技術】
【０００２】
例えば空気調和装置などにおいて、室内側に設置する室内機は、室内に空気を送り込むファンを備えている。ファンは、モータにより駆動され、回転することにより送風する。【０００３】
特許文献１に開示されているターボファン及びこれを備える空気調和装置によれば、ターボファンを回転させて送風する天井埋込型の室内機において、モータの動力を伝える回転シャフトがファンのボスに貫通している。回転シャフトの先端は、ボスの端面から突出し、ナットが螺合している。ファンと回転シャフトとは、ナットが回転シャフトの先端に螺合しワッシャを介して締結されることにより接続され、モータの回転をファンに伝達する構造になっている。
【先行技術文献】
【特許文献】
【０００４】
【特許文献１】特開平１１−６２８９１号公報
【発明の概要】
【発明が解決しようとする課題】
【０００５】
しかし、特許文献１に開示されている空気調和装置の室内機においては、室内機は天井面に据え付けられている。この状態で室内機の故障対応や点検作業をする場合、モータからファンを取り外し点検等を行う。点検等が終わり室内機を元の状態に戻す際に、ファンをモータに取付けてナット締結固定する必要があるが、作業者は、ナット締結作業を天井面に向かって行う。その際に、作業者がファンを支持しつつ小さなワッシャを締結面に保持しながらナットを締める必要があり、作業が困難で効率が悪いという課題があった。また、ナットとファンのボス端面との間にワッシャが挟まれているが、ワッシャは小さく、室内機の点検及び修理作業時に紛失しやすいという課題があった。【０００６】
この発明は、上記の課題を解決するためになされたもので、ファンの取り外し及び取付の作業性を向上し、ワッシャの紛失を抑制する、ファン及びファンを備えた空気調和装置の室内機を得ることを目的とする。
【課題を解決するための手段】
【０００７】
この発明に係るファンは、モータと、前記モータの回転を伝達する回転シャフトと、回転中心に前記回転シャフトが挿通されるボス部と、を有するファンであって、前記回転シャフトは、先端部が前記ボス部から突出し、前記先端部は、ワッシャの中心孔に挿通され、締結部品が螺合し、前記ワッシャは、前記締結部品と前記ボス部の端面との間に挟まれ締結されるワッシャ座面部と、前記ワッシャ座面部の外周を囲むワッシャ外周部と、を備え、前記ワッシャ座面部と前記ワッシャ外周部とは、一体に成形されている。
【発明の効果】
【０００８】
この発明によれば、回転シャフトに挿通され締結部品とボス部との間に挟まれるワッシャが、ワッシャ外周部をそなえていることにより、ファンの取り外し及び取付時に作業者が保持しやすく、作業の効率を向上させることができる。また、空気調和装置の室内機の点検及び修理作業において、ワッシャの紛失を抑制することができる。
【図面の簡単な説明】
【０００９】
【図１】本発明の実施の形態１に係る空気調和装置の室内機の斜視図である。
【図２】図１の空気調和装置の室内機の構成を説明する図である。
【図３】本発明の実施の形態１に係るターボファンの斜視図である。
【図４】本発明の実施の形態１に係るターボファンの中心部の拡大斜視図である。
【図５】本発明の実施の形態１に係るターボファンの断面の構造を説明する図である。
【図６】図５のワッシャを回転シャフトの軸方向から見た図である。
【図７】図６のＡ−Ａ断面を示す図である。
【図８】図６のＢ−Ｂ断面を示す図である。
【図９】本発明の実施の形態１に係るターボファンのボス部の構造を説明する斜視図である。
【図１０】本発明の実施の形態１に係るワッシャをボス部の端面に設置した状態の図である。
【発明を実施するための形態】
【００１０】
以下、この発明を実施するための形態について、図面を参照して説明する。ここで、参照符号について、以下の図面において、同一の符号を付したものは、同一又はこれに相当するものであり、このことは、明細書の全文において共通することである。そして、明細書全文に表わされている構成要素の形態は、あくまでも例示であって、明細書に記載された形態に限定するものではない。図面では各構成部材の大きさの関係が実際のものとは異なる場合がある。
【００１１】
実施の形態１．
図１は、本発明の実施の形態１に係る空気調和装置の室内機１００の斜視図である。図２は、図１の空気調和装置の室内機１００の構成を説明する図である。実施の形態１では、室内の天井に埋め込むことができる天井埋め込み型で、四方向に吹き出し口１３２を有する四方向カセット型の空気調和装置の室内機１００について説明する。室内機１００は、冷媒配管により室外機と接続し、冷媒を循環して冷凍、空気調和などを行う冷媒回路を構成する。
【００１２】
図１に示されるように、室内機１００は、天板１２１及び側板１２２で構成される筐体１２０を有する。室内機１００は、天板１２１が上方となる向きに室内の天井に埋め込まれて設置される。筐体１２０は室内に面する側（下方側）が開口している。天板１２１にはモータ１８０が内面側に取り付けられる。また、室内機１００は、平面視で略四角形状の化粧パネル１３０が下方側に取り付けられ、室内に面している。化粧パネル１３０の中央付近には、室内機１００内への空気（気体）の吸い込み口となるグリル１３１と、グリル１３１通過後に空気を除塵するフィルタ１４０とを備えている。
【００１３】
室内機１００の下面中央部には、本体内に空気を整流して流入させる本体吸い込み口１２３を有している。また、本体吸い込み口１２３の周囲には、本体内から空気を流出させる本体吹き出し口１２４を有している。そして、グリル１３１、本体吸い込み口１２３、本体吹き出し口１２４及び吹き出し口１３２が連通し、室内機１００内の風路を形成している。
【００１４】
室内機１００の本体内部には、ターボファン２０、ベルマウス１６０、モータ１８０及び室内熱交換器１１０、断熱材１９０を有している。ターボファン２０はモータ１８０が有する回転シャフト５０が取り付けられた遠心型の送風機に用いられる羽根車である。ターボファン２０が回転することにより、グリル１３１を介して吸い込んだ空気を側方（図１の左右方向）に送り出す空気の流れを形成する。ターボファン２０については後述する。また、ベルマウス１６０はターボファン２０の吸い込み風路を形成し、整流する。
【００１５】
モータ１８０は、天板１２１の中央部分と回転シャフト５０とが直交するように天板１２１に取り付けられる。例えば、回転シャフト５０は鉛直方向を向くことになる。ここで、たとえばモータ１８０を天板１２１に接するように取り付けるようにしてもよい、また、少し隙間を有して取り付けてもよい。モータ１８０が駆動すると、回転シャフト５０に固定されたターボファン２０が回転シャフト５０を中心に回転する。
【００１６】
室内熱交換器１１０は、空気の流れにおいてターボファン２０の下流側に、ターボファン２０を囲むように設置している。例えば、空気調和装置に室内機１００を適用する際、室内熱交換器１１０は、冷房運転時には蒸発器として機能し、暖房運転時には凝縮器として機能する。
【００１７】
化粧パネル１３０の各辺には、空気の吹き出し口１３２が、化粧パネル１３０の各辺に沿って形成されている。本実施の形態の室内機１００は、４つの吹き出し口１３２を有している。各吹き出し口１３２には、風向きを変更する風向偏向板となる吹き出しベーン１５０を有している。各吹き出しベーン１５０は、モータ（図示せず）の駆動により軸を中心に回転移動することで位置制御が行われる。断熱手段となる断熱材１９０は、貼るなどして筐体１２０内側の面に取り付けられる。
【００１８】
図３は、本発明の実施の形態１に係るターボファン２０の斜視図である。図４は、本発明の実施の形態１に係るターボファン２０の中心部の拡大斜視図である。ターボファン２０は、回転すると、回転シャフト５０方向から空気を吸入し、吸入した空気を回転シャフト５０と交差する外周方向に吹き出す。実施の形態１に係るターボファン２０は、図３に示されるように、シュラウド１７１と主板１７３とを対向させるように配置する。そして、シュラウド１７１と主板１７３との間に複数（図３では７枚）の翼１７２が設けられている。シュラウド１７１は、ベルマウス形状をしており、中央部分に空気吸い込み口１７１ａを有する。
【００１９】
翼１７２は、ターボファン２０内から外周方向への空気の流れを形成する。ここで、本実施の形態の翼１７２は、シュラウド１７１と主板１７３との間において、ねじれた形状を有する３次元翼である。翼１７２が３次元翼とすることで、低騒音化、低消費電力化などをはかることができる。
【００２０】
主板１７３は、翼１７２が接合されるなど、ターボファン２０の土台となる。主板１７３は、ターボファン２０の内側に向かって中央部分が凸状を形成している。このため、主板１７３の外面側は中央部分が凹んでおり、凹んでできる空間にモータ１８０を収容している。従って、主板１７３はモータ１８０を覆っている。
【００２１】
図５は、本発明の実施の形態１に係るターボファン２０の断面の構造を説明する図である。主板１７３の中央部分の凸状に形成された部分２２の中央には、表面から突出したボス部３０が形成されている。ボス部３０は、中央に回転シャフト５０が貫通するスリーブ３１を有し、スリーブ３１の外周側に筒状のボス３２を有する。スリーブ３１の外周面とボス３２の内周面との間には防振ゴム３３が介在している。防振ゴム３３は、スリーブ３１の外周面とボス３２の内周面とに接着されている。
【００２２】
ボス３２の外周面は、ターボファン２０の主板１７３を形成する材料により覆われている。スリーブ３１、ボス３２、及び防振ゴム３３は、主板１７３と一体に形成されている。
【００２３】
ボス部３０のスリーブ３１には、回転シャフト５０が挿通されている。回転シャフト５０の先端部５１は、ボス部３０の端面３４から突出している。先端部５１は、さらにワッシャ４０の中心孔４５に挿通され、ワッシャ４０から突出する部分にさらに締結部品６０が螺合している。ワッシャ４０は、ボス部３０の端面３４と締結部品６０との間に挟まれ、締結部品６０の座面となり、締結部品６０の緩みを防止する座金として機能する。
【００２４】
図６は、図５のワッシャ４０を回転シャフト５０の軸方向から見た図である。図７は、図６のＡ−Ａ断面を示す図である。図８は、図６のＢ−Ｂ断面を示す図である。ワッシャ４０は、中央にワッシャ座面部４１を備え、ワッシャ座面部４１を取り囲む様にワッシャ外周部４２を備える。ワッシャ座面部４１は、図５に示されるように、締結部品６０とボス部３０の端面３４とに挟まれ、締結部品６０と接触し座面となる部分である。ワッシャ座面部４１は、例えばプレス成形されたステンレス等の平板状の金属で構成される。ワッシャ座面部４１の中央部には中心孔４５が開口している。中心孔４５は、円の円弧の一部を直線でカットしたＤカット部４５Ａが形成されている。先端部５１も、中心孔４５と同じように、断面が円の一部を直線でカットした形状に形成されており、回転シャフト５０の先端部５１が中心孔４５を貫通したときに、先端部５１は中心孔４５と嵌合する。このように構成されることにより、ワッシャ４０は、回転シャフト５０と相対回転しないようになっている。
【００２５】
ワッシャ座面部４１は、平板状の材料の外周の端面のうち互いに対向する２つの外周端面４３が露出している。外周端面４３以外の外周面は、ワッシャ外周部４２を構成する材料により覆われている。ワッシャ外周部４２は、ワッシャ座面部４１の周囲を取り囲むように形成されている。ワッシャ外周部４２は、外周端面４３と対向する内周円弧部４７を備える。外周端面４３と内周円弧部４７とで囲まれる部分は、開口部４８になっている。開口部４８は、ワッシャ４０の中心を挟んで対称的に配置されている。
【００２６】
図９は、本発明の実施の形態１に係るターボファン２０のボス部３０の構造を説明する斜視図である。ターボファン２０のボス部３０の端面は、ターボファン２０の中心について対称な位置に突出する２つの嵌合部３５を備える。嵌合部３５は、それぞれの嵌合面３５Ａをターボファン２０の中心軸を挟んで対向させている。ワッシャ４０は、ボス部３０の端面に設置された際に、嵌合部３５がワッシャ４０の開口部４８に挿入されるように構成されている。ワッシャ座面部４１の２つの外周端面４３は、嵌合部３５の２つの嵌合面３５Ａと接触し、ワッシャ４０とボス部３０とが相対回転しないように構成されている。
【００２７】
回転シャフト５０とワッシャ４０とがワッシャ４０の中心孔４５で相対回転しないように嵌合し、ワッシャ４０とボス部３０とがワッシャ座面部４１の外周端面４３と嵌合部３５とにより相対回転しないように嵌合している。すなわち、回転シャフト５０、ワッシャ４０、及びターボファン２０の３つの部品は、相対回転しないように嵌合しており、モータ１８０の回転駆動力は、回転シャフト５０からワッシャ４０を経てターボファン２０に伝達されることになる。
【００２８】
図５に示されるように、ワッシャ４０は、回転シャフト５０の先端部５１に螺合する締結部品６０によりボス部３０の端面との間に挟まれた状態で固定される。ワッシャ４０は、締結部品６０により回転シャフト５０の軸方向に移動できないようになるため、ワッシャ座面部４１の外周端面４３と嵌合部３５との嵌合状態が維持される。
【００２９】
図５及び図９に示されるように、ワッシャ４０は、回転シャフト５０の軸方向に延びる突起部４９を備える。突起部４９は、ワッシャ外周部４２の縁から突出しており、締結部品６０を回転シャフト５０の先端部５１に螺合させた際に干渉しないように構成されている。また、突起部４９は、ワッシャ外周部４２に１箇所だけ設けられており、ワッシャ４０の回転方向の向き及び表裏の向きが判別できる様になっている。
【００３０】
図１０は、本発明の実施の形態１に係るワッシャ４０をボス部３０の端面に設置した状態の図である。ワッシャ４０がボス部３０の端面に正常な状態で配置されている場合は、嵌合部３５は、ワッシャ４０の開口部４８に挿入される。しかし、ワッシャ４０が、図１０において上下反対に組み付けられた場合は、突起部４９は、ボス部３０の端面３４に接触する。突起部４９のワッシャ座面部４１からの高さＨ１は、嵌合部３５のボス部３０の端面３４からの高さｈよりも高くなっている。従って、ワッシャ４０が表裏反対にボス部３０に組み付けられた場合に、ワッシャ４０の開口部４８と嵌合部３５とが嵌合することがない。また、ワッシャ４０の総厚Ｈ２、すなわちワッシャ座面部４１のボス部３０側の面から突起部４９までの高さは、回転シャフト５０の先端部５１のボス部３０の端面３４からの突出量Ｌ以上になっている。このように構成されることにより、ワッシャ４０が表裏反対にボス部３０の端面３４に組み付けられたとしても、回転シャフト５０の先端部５１に締結部品６０を螺合させることができないため、ワッシャ４０が表裏反対に組み付けられるのを防止することができる。
【００３１】
また、ワッシャ４０は、突起部４９を備えることにより、ターボファン２０を室内機１００に取り付ける作業をする際に、作業者が保持しやすいという利点がある。さらに、ワッシャ４０の外形は、締結部品６０の外形よりも大きいため、締結部品６０を締め付ける作業を阻害することなく、作業者がワッシャ４０を保持することができる。
【００３２】
図５に示されるように、ワッシャ外周部４２の外形は、ボス部３０のボス３２の外形よりも大きい。つまり、回転シャフト５０の軸方向から見たときに、ボス３２は、ワッシャ外周部４２の外形に隠れるようになっている。従って、ボス３２が金属で構成されていた場合であっても、絶縁材料で構成されたワッシャ外周部４２により、ボス３２はユーザーが接触できる表面に露出しない。
【００３３】
図５及び図９に示されるように、締結部品６０は、一方の端部が開口されており、その開口の内部にねじ部を備えるナット部品である。締結部品６０は、少なくとも回転シャフト５０の先端部５１に締結された状態において、露出している部位が絶縁材料で構成されている。例えば、締結部品６０は、金属製のナットの外側を絶縁材料で覆い一体に成形された部品である。
【００３４】
このように構成されることにより、ワッシャ座面部４１、スリーブ３１、及びボス３２が導電材料で構成されていても、ターボファン２０が室内機１００に取り付けられた状態においては、ユーザーが接触できる部位に導電材料が露出しない構成になっており、安全性が向上するという利点がある。また、締結部品６０のワッシャ座面部４１と接触する接触面６２は、金属が露出している。そのため、ワッシャ座面部４１と接触面６２とは、金属同士で接触しており、締結時の軸力を高くすることができ、締結部品６０の緩みを抑制することができる。従って、締結部品６０は、安全性を向上させつつ、緩みを抑制できる構成になっている。
【００３５】
ワッシャ外周部４２は、回転シャフト５０の軸方向に突出するリブ４６を備える。リブ４６は、ワッシャ外周部４２の全周に設けられており、ワッシャ外周部４２の外形に沿っている。また、リブ４６は、締結部品６０が回転シャフト５０の先端部５１に締結された状態において、締結部品６０と干渉しない位置に設けられている。リブ４６は、締結部品６０とワッシャ外周部４２との間に生じる隙間を覆うように設けられており、望ましくは、回転シャフト５０の軸方向から見て締結部品６０の外形に沿って設けられていると良い。また、リブ４６の高さは、締結部品６０とワッシャ外周部４２との間の隙間よりも大きいのが望ましい。このように構成されることにより、ターボファン２０が室内機１００に取り付けられた状態において、導電材料で構成されているワッシャ座面部４１からユーザーが触れることができる表面までの距離を長くすることができ、安全性が向上する。
【００３６】
図９に示されている様に、締結部品６０は、締結部品６０をボス部３０に締め付けるための工具等により把持するための把持部６１を備える。把持部６１は、締結部品６０において回転シャフト５０の軸方向の先端側に形成されている。さらに言うと、把持部６１は、ワッシャ４０の突起部４９よりも回転シャフト５０の軸方向に突出して形成されている。そのため、突起部４９に阻害されることなく把持部６１を工具等で把持できるため、締結部品６０の締め付け作業が容易になる。
【００３７】
（実施の形態１の効果）
（１）実施の形態１に係るターボファン２０によれば、モータ１８０と、モータ１８０の回転を伝達する回転シャフト５０と、回転中心に回転シャフト５０が挿通されるボス部３０と、を有するターボファン２０であって、回転シャフト５０は、先端部５１がボス部３０から突出し、先端部５１は、ワッシャ４０の中心孔４５に挿通され、締結部品６０が螺合し、ワッシャ４０は、締結部品６０とボス部３０の端面３４との間に挟まれ締結されるワッシャ座面部４１と、ワッシャ座面部４１の外周を囲むワッシャ外周部４２と、を備え、ワッシャ座面部４１とワッシャ外周部４２とは、一体に成形されている。なお、実施の形態１に係るターボファン２０は、本発明のファンに相当するものである。実施の形態１においては、天井埋込型の空気調和装置の室内機１００を例にして、ファンのボス部３０をモータ１８０に取り付ける構造について説明したが、空気調和装置の室内機１００だけに適用されるものではなく、室外機等のその他のファンを有する装置等に適用することが可能である。
このように構成されることにより、ターボファン２０は、ワッシャ外周部４２を保持しつつ回転シャフト５０に取り付ける作業ができるため、ターボファン２０の着脱作業の効率が向上する。また、空気調和機の室内機１００等の点検作業においてワッシャ４０の紛失を抑制することができる。
【００３８】
（２）実施の形態１に係るターボファン２０によれば、ワッシャ座面部４１は、回転シャフト５０の先端部５１が挿通される中心孔４５と、互いに対向する２つの外周端面４３と、を備える。先端部５１と中心孔４５とが嵌合し、ボス部３０は、回転シャフト５０の先端部５１が突出する側に嵌合部３５が突出し、嵌合部３５は、ワッシャ座面部４１の外周端面４３と嵌合する。
（３）実施の形態１に係るターボファン２０によれば、ワッシャ座面部４１は、回転シャフト５０の先端部５１が挿通される中心孔４５と、互いに対向する２つの外周端面４３と、を備える。ワッシャ４０は、中心孔４５について対称な位置に２つの開口部４８を有し、開口部４８は、ワッシャ座面部４１の外周端面４３とワッシャ外周部４２の内周面とにより形成される。
このように構成されることにより、ターボファン２０は、上記（１）に記載した効果を得つつ、従来と同様にターボファン２０とワッシャ４０とを嵌合させ、ワッシャ４０と回転シャフト５０とを嵌合させることにより、モータ１８０の回転駆動力をターボファン２０に伝達する構造が得られる。
【００３９】
（４）実施の形態１に係るターボファン２０によれば、ワッシャ外周部４２は、外周端面４３を除くワッシャ座面部４１の外周部において、ワッシャ座面部４１と接続されている。
このように構成されることにより、ワッシャ外周部４２には、モータ１８０の動力が伝達しない。よって、上記（１）〜（３）に記載したように、ターボファン２０の着脱作業の効率を向上させつつ、回転シャフト５０の回転駆動力をターボファン２０に伝達させることができる。
【００４０】
（５）実施の形態１に係るターボファン２０によれば、ワッシャ外周部４２は、回転シャフト５０の軸方向に突出する突起部４９を有する。
このように構成されることにより、ワッシャ４０は、表裏が判別し易い構造になるため、ターボファン２０の着脱作業時において誤って取り付けられるのを抑制することができる。また、ワッシャ４０は、突起部４９を備えることにより、より作業者が保持しやすいため、作業効率が向上する。
【００４１】
（６）実施の形態１に係るターボファン２０によれば、突起部４９のワッシャ座面部４１からの高さは、ボス部３０の端面から嵌合部３５の先端までの高さよりも高い。
このように構成されることにより、ワッシャ４０は、ボス部３０に表裏逆に取り付けられても嵌合部３５と開口部４８とが嵌り合わないため、誤組み付けを防ぐことができる。
【００４２】
（７）実施の形態１に係るターボファン２０によれば、締結部品６０は、ワッシャ座面部４１と接触する接触面６２と、締結時に把持される把持部６１と、を有する。把持部６１は、突起部４９よりも回転シャフト５０の軸方向に突出して形成されている。
このように構成されることにより、ワッシャ４０から締結部品６０側に突起部４９があっても、締結部品６０を工具等により把持して締結する際に作業を阻害することがない。
【００４３】
（８）実施の形態１に係るターボファン２０によれば、ワッシャ外周部４２は、回転シャフト５０の軸方向に延びるリブ４６を備える。リブ４６は、ワッシャ外周部４２の外周に沿った全周に設けられている。
（９）実施の形態１に係るターボファン２０によれば、ボス部３０は、回転シャフト５０が挿通されるスリーブ３１と、スリーブ３１の外側に位置する筒状のボス３２と、スリーブ３１の外周面とボス３２の内周面との間に介在する防振ゴム３３と、を備える。ワッシャ外周部４２は、ボス３２の端面よりも外形が大きい。
（１０）実施の形態１に係るターボファン２０によれば、ワッシャ座面部４１は、平板状の金属により構成され、ワッシャ外周部４２は、絶縁材料により構成される。
このように構成されることにより、作業者やユーザーが触れることができる表面からワッシャ座面部４１等の金属部品までの距離を確保することができ、安全性が向上する。
【００４４】
（１１）実施の形態１に係る空気調和装置の室内機１００によれば、上記（１）〜（１０）の何れかに記載のターボファン２０を備える。
このように構成されることにより、例えば天井埋込型の空気調和装置の室内機１００のように、天井に向かってターボファン２０の着脱作業をする場合であっても、作業の効率を向上させることができ、さらに安全性の向上が図れる。
【符号の説明】
【００４５】
２０  ターボファン、２２  部分、３０  ボス部、３１  スリーブ、３２  ボス、３３  防振ゴム、３４  端面、３５  嵌合部、３５Ａ  嵌合面、４０  ワッシャ、４１  ワッシャ座面部、４２  ワッシャ外周部、４３  外周端面、４５  中心孔、４５Ａ  Ｄカット部、４６  リブ、４７  内周円弧部、４８  開口部、４９  突起部、５０  回転シャフト、５１  先端部、６０  締結部品、６１  把持部、６２  接触面、１００  室内機、１１０  室内熱交換器、１２０  筐体、１２１  天板、１２２  側板、１２３  本体吸い込み口、１２４  本体吹き出し口、１３０  化粧パネル、１３１  グリル、１３２  吹き出し口、１４０  フィルタ、１５０  吹き出しベーン、１６０  ベルマウス、１７１  シュラウド、１７１ａ  空気吸い込み口、１７２  翼、１７３  主板、１８０  モータ、１９０  断熱材、Ｈ１  高さ、Ｈ２  総厚、Ｌ  突出量、ｈ  高さ。
【図１】
2019026097.tif 000003
【図２】
2019026097.tif 000004
【図３】
2019026097.tif 000005
【図４】
2019026097.tif 000006
【図５】
2019026097.tif 000007
【図６】
2019026097.tif 000008
【図７】
2019026097.tif 000009
【図８】
2019026097.tif 000010
【図９】
2019026097.tif 000011
【図１０】
2019026097.tif 000012
【手続補正書】
【提出日】令和1年10月8日(2019.10.8)
【手続補正１】
【補正対象書類名】明細書
【補正対象項目名】０００７
【補正方法】変更
【補正の内容】
【０００７】
この発明に係るファンは、モータと、前記モータの回転を伝達する回転シャフトと、回転中心に前記回転シャフトが挿通されるボス部と、を有するファンであって、前記回転シャフトは、先端部が前記ボス部から突出し、前記先端部は、ワッシャの中心孔に挿通され、締結部品が螺合し、前記ワッシャは、前記締結部品と前記ボス部の端面との間に挟まれ締結されるワッシャ座面部と、前記ワッシャ座面部の外周を囲むワッシャ外周部と、を備え、前記ワッシャ座面部は、前記回転シャフトの前記先端部が挿通される前記中心孔と、
互いに対向する２つの外周端面と、を備え、平板状の金属により構成され、前記ワッシャ外周部は、絶縁材料により構成され、前記ワッシャ座面部と前記ワッシャ外周部とは、一体に成形され、前記ボス部は、前記回転シャフトの前記先端部が突出する側に嵌合部が突出し、前記嵌合部は、前記ワッシャ座面部の外周端面と嵌合する。
【手続補正２】
【補正対象書類名】特許請求の範囲
【補正対象項目名】全文
【補正方法】変更
【補正の内容】
【特許請求の範囲】
【請求項１】
モータと、
前記モータの回転を伝達する回転シャフトと、
回転中心に前記回転シャフトが挿通されるボス部と、を有するファンであって、
前記回転シャフトは、
先端部が前記ボス部から突出し、
前記先端部は、
ワッシャの中心孔に挿通され、締結部品が螺合し、
前記ワッシャは、
前記締結部品と前記ボス部の端面との間に挟まれ締結されるワッシャ座面部と、
前記ワッシャ座面部の外周を囲むワッシャ外周部と、を備え、
前記ワッシャ座面部は、
前記回転シャフトの前記先端部が挿通される前記中心孔と、
互いに対向する２つの外周端面と、を備え、
平板状の金属により構成され、
前記ワッシャ外周部は、
絶縁材料により構成され、
前記ワッシャ座面部と前記ワッシャ外周部とは、一体に成形され、
前記ボス部は、
前記回転シャフトの前記先端部が突出する側に嵌合部が突出し、
前記嵌合部は、
前記ワッシャ座面部の外周端面と嵌合する、ファン。
【請求項２】
前記中心孔について対称な位置に２つの開口部を有し、
前記開口部は、
前記ワッシャ座面部の外周端面と前記ワッシャ外周部の内周面とにより形成される、請求項１に記載のファン。
【請求項３】
前記ワッシャ外周部は、
前記外周端面を除く前記ワッシャ座面部の外周部において、前記ワッシャ座面部と接続されている、請求項１又は２に記載のファン。
【請求項４】
前記ワッシャ外周部は、
前記回転シャフトの軸方向に突出する突起部を有する、請求項１〜３の何れか１項に記載のファン。
【請求項５】
前記突起部の前記ワッシャ座面部からの高さは、
前記ボス部の端面から前記嵌合部の先端までの高さよりも高い、請求項４に記載のファン。
【請求項６】
前記締結部品は、
前記ワッシャ座面部と接触する接触面と、
締結時に把持される把持部と、を有し、
前記把持部は、
前記突起部よりも前記回転シャフトの軸方向に突出して形成されている、請求項５に記載のファン。
【請求項７】
前記ワッシャ外周部は、
前記回転シャフトの軸方向に延びるリブを備え、
前記リブは、
前記ワッシャ外周部の外周に沿った全周に設けられている、請求項１〜６の何れか１項に記載のファン。
【請求項８】
前記ボス部は、
前記回転シャフトが挿通されるスリーブと、
前記スリーブの外側に位置する筒状のボスと、
前記スリーブの外周面と前記ボスの内周面との間に介在する防振ゴムと、を備え、
前記ワッシャ外周部は、
前記ボスの端面よりも外形が大きい、請求項１〜７の何れか１項に記載のファン。
【請求項９】
請求項１〜８の何れか１項に記載のファンを備える、空気調和装置の室内機。
【国際調査報告】
2019026097.tif 000013
2019026097.tif 000014
2019026097.tif 000015
2019026097.tif 000016